(57)【要約】【課題】ファクシミリ送信を行う画像形成装置において、容易な操作でプリント動作を実行させて表示紙を得ることができるようにする。【解決手段】画像形成装置１は、筐体１０の操作部の複数の操作ボタン２３のうちいずれかが押下されると、その押下ボタン２３に応じて予め関連付けられた送信先にファクシミリ送信を行う。筐体１０の操作ボタン２３に隣接する部位には、各操作ボタン２３がどの送信先に関連付けられているかをユーザに示すための表示紙２５ａが配置されている。表示紙２５ａが配される位置には、表示紙２５ａにより覆われるように、用紙印刷スイッチ３０が設けられている。ユーザが用紙印刷スイッチ３０を押下すると、記録紙に表示紙２５ａの様式と外形形状とを示す画像がプリントされる。ユーザは、外形形状に沿って記録紙から表示紙２５ａを切り取り、取り外した表示紙２５ａに替えて筐体１０に配置することができる。【選択図】図３
2008283636.tif 000002
【特許請求の範囲】
【請求項１】
筐体と、
前記筐体内部に配置され、原稿を筐体内部で搬送しながら読み取り、画像データを生成する画像読取部と、
前記筐体に設けられ、記録紙が装填される記録紙トレイと、
前記筐体内部に配置され、前記画像読取部により読み取られた原稿の画像データ又は外部装置から入力された画像データに基づいて、前記記録紙トレイから給紙された記録紙に画像をプリントする画像形成部と、
前記画像読取部により読み取られた原稿の画像データ又は外部装置から入力された画像データをファクシミリ送信するファクシミリ送信部と、
前記画像読取部、前記画像形成部、及び前記ファクシミリ送信部の動作を制御する制御部と、
前記筐体に外部から操作可能に配置され、前記制御部に所定の指示を行うための複数の操作ボタンと、
前記操作ボタンのうち、所定の操作ボタンに関連付けて、ファクシミリ送信の送信先情報が記憶されているメモリ部とを備え、
前記制御部は、前記所定の操作ボタンが操作されたとき、前記メモリ部から当該操作ボタンに関連付けられている送信先情報を読み出し、その送信先情報に基づいて、前記ファクシミリ送信部にファクシミリ送信させるように構成されており、
前記筐体には、前記所定の操作ボタンに関連付けられている送信先情報をユーザに示すため、当該送信先情報を記入可能な所定の外形形状の表示紙が配されている画像形成装置において、
前記筐体のうち前記表示紙が配されている部位には、前記表示紙を当該部位から取り外したときに外部に露出され外部から押下可能な用紙印刷スイッチが設けられており、
前記メモリ部には、前記表示紙の様式と前記表示紙の所定の外形形状とを共に示す表示紙画像データがさらに記憶されており、
前記制御部は、前記用紙印刷スイッチが押下されたとき、前記メモリ部から前記表示紙画像データを読み込み、前記画像形成部を制御することにより、記録紙に、前記表示紙の様式と前記表示紙の所定の外形形状とを共に示す画像をプリントし、
前記画像形成部によりプリントされた記録紙から前記画像によって示された所定の外形形状に沿って切り取った新たな表示紙を、前記筐体から取り外した表示紙に替えて、前記筐体に配置可能に構成されていることを特徴とする画像形成装置。
【請求項２】
装置各部を制御する制御部と、
前記制御部の制御により、画像データに基づき記録紙に画像をプリントする画像形成部と、
前記制御部の制御により、画像データをファクシミリ送信するファクシミリ送信部と、
筐体に外部から操作可能に配置され、前記制御部に所定の指示を行うための複数の操作ボタンとを備え、
前記制御部は、操作ボタンのうち、予め所定の送信先の送信先情報と関連付けられた所定の操作ボタンが操作されたとき、前記ファクシミリ送信部に、その所定の送信先に向けてファクシミリ送信させるように構成されており、
前記筐体には、前記所定の操作ボタンに関連付けられている送信先情報をユーザに示すため、当該送信先情報を記入可能な表示紙が配されている画像形成装置であって、
前記筐体のうち前記表示紙が配されている部位には、前記表示紙を当該部位から取り外したときに外部に露出し外部から操作可能になるように用紙印刷スイッチが設けられており、
前記制御部は、前記用紙印刷スイッチが操作されたとき、前記画像形成部を制御することにより、記録紙に、前記表示紙の様式を示す画像を記録紙にプリントさせることを特徴とする画像形成装置。
【請求項３】
前記制御部は、前記用紙印刷スイッチが操作されたとき、前記画像形成部を制御することにより、記録紙に、前記表示紙の様式と前記表示紙の所定の外形形状とを共に示す画像をプリントさせるように構成されており、
前記画像形成部により画像がプリントされた記録紙から前記所定の外形形状に沿って切り取った表示紙を、前記筐体から取り外した表示紙に替えて、前記筐体に配置可能に構成されていることを特徴とする請求項２に記載の画像形成装置。
【発明の詳細な説明】
【技術分野】
【０００１】
本発明は、記録紙に画像を形成する画像形成装置に関し、特に、画像データをファクシミリ送信する機能を有するものに関する。
【背景技術】
【０００２】
画像データをファクシミリ送信する機能を有する画像形成装置としては、いわゆる短縮ダイヤル機能を有し、所定の操作ボタンの操作のみで、その操作ボタンに割り当てられた送信先にファクシミリ送信を行うことができるように構成されているものがある。このような画像形成装置においては、短縮ダイヤル機能に用いられる複数の操作ボタンがそれぞれどの送信先に対応するものであるかをユーザに示すために、各短縮ダイヤルに関連付けられている送信先情報を記入可能な表示紙を筐体に配したものがある。
【０００３】
ところで、表示紙に送信先情報が記入された状態で、操作ボタンに関連付ける送信先情報を変更する場合には、表示紙の記載も変更しなければならない。従来、ユーザは、表示紙の記載を変更するには、例えば予備用紙として画像形成装置の出荷時に同梱されていた別の表示紙に新たな送信先情報を記入して、変更前の情報を記載した表示紙に替えて筐体に配していた。このような場合には、例えば、表示紙を予備のものも含めて画像形成装置に同梱して出荷したり、ユーザの便宜を鑑みて、いわゆるサプライ用品として表示紙を継続して販売しておく必要等があり、画像形成装置が高コスト化し、また、販売部品種が増加することにより在庫管理業務等が煩雑になるという問題があった。また、ユーザは、予備の表示紙の購入時に金銭的負担を強いられたり、予備の表示紙を保管しておく手間がかかるという問題があった。
【０００４】
ここで、特許文献１には、登録されたワンタッチダイヤルの宛先データを記録紙に印字出力するファクシミリ装置が開示されている。この装置は、記録紙に宛先ラベルを自動的に印字することができるように構成されている。しかしながら、宛先ラベルを印字させる指示を行う際、その操作が簡単であれば、ユーザが無意識のうちに宛先ラベルを印字させてしまう可能性が増加し、記録紙や印字に用いるインク等に無駄が生じてしまう。他方、操作が複雑であれば、容易に宛先ラベルを印字させることができず、せっかくの宛先ラベル印字機能が有効に利用されず、無駄になってしまう。
【０００５】
なお、特許文献２には、電話機のワンタッチダイヤルボタンの相手先を示すための記名紙が示されている。この記名紙に相手先等の情報を印刷するには、パソコン、プリンタ等を用いる必要がある。しかしながら、特許文献２には、上記問題点の解決策として有効な解決策は開示されていない。
【特許文献１】特開平５‐２７６２８６号公報
【特許文献２】特開２００３‐２７３９９１号公報
【発明の開示】
【発明が解決しようとする課題】
【０００６】
本発明は、上記問題点を鑑みてなされたものであり、予備の表示紙を購入、保有しておく必要がなく、適宜、容易な操作でプリント動作を実行させることにより表示紙を得ることが可能な画像形成装置を提供することを目的とする。
【課題を解決するための手段】
【０００７】
上記目的を達成するため、請求項１の発明は、筐体と、前記筐体内部に配置され、原稿を筐体内部で搬送しながら読み取り、画像データを生成する画像読取部と、前記筐体に設けられ、記録紙が装填される記録紙トレイと、前記筐体内部に配置され、前記画像読取部により読み取られた原稿の画像データ又は外部装置から入力された画像データに基づいて、前記記録紙トレイから給紙された記録紙に画像をプリントする画像形成部と、前記画像読取部により読み取られた原稿の画像データ又は外部装置から入力された画像データをファクシミリ送信するファクシミリ送信部と、前記画像読取部、前記画像形成部、及び前記ファクシミリ送信部の動作を制御する制御部と、前記筐体に外部から操作可能に配置され、前記制御部に所定の指示を行うための複数の操作ボタンと、前記操作ボタンのうち、所定の操作ボタンに関連付けて、ファクシミリ送信の送信先情報が記憶されているメモリ部とを備え、前記制御部は、前記所定の操作ボタンが操作されたとき、前記メモリ部から当該操作ボタンに関連付けられている送信先情報を読み出し、その送信先情報に基づいて、前記ファクシミリ送信部にファクシミリ送信させるように構成されており、前記筐体には、前記所定の操作ボタンに関連付けられている送信先情報をユーザに示すため、当該送信先情報を記入可能な所定の外形形状の表示紙が配されている画像形成装置において、前記筐体のうち前記表示紙が配されている部位には、前記表示紙を当該部位から取り外したときに外部に露出され外部から押下可能な用紙印刷スイッチが設けられており、前記メモリ部には、前記表示紙の様式と前記表示紙の所定の外形形状とを共に示す表示紙画像データがさらに記憶されており、前記制御部は、前記用紙印刷スイッチが押下されたとき、前記メモリ部から前記表示紙画像データを読み込み、前記画像形成部を制御することにより、記録紙に、前記表示紙の様式と前記表示紙の所定の外形形状とを共に示す画像をプリントし、前記画像形成部によりプリントされた記録紙から前記画像によって示された所定の外形形状に沿って切り取った新たな表示紙を、前記筐体から取り外した表示紙に替えて、前記筐体に配置可能に構成されているものである。
【０００８】
請求項２の発明は、装置各部を制御する制御部と、前記制御部の制御により、画像データに基づき記録紙に画像をプリントする画像形成部と、前記制御部の制御により、画像データをファクシミリ送信するファクシミリ送信部と、筐体に外部から操作可能に配置され、前記制御部に所定の指示を行うための複数の操作ボタンとを備え、前記制御部は、操作ボタンのうち、予め所定の送信先の送信先情報と関連付けられた所定の操作ボタンが操作されたとき、前記ファクシミリ送信部に、その所定の送信先に向け、画像データをファクシミリ送信させるように構成されており、前記筐体には、前記所定の操作ボタンに関連付けられている送信先情報をユーザに示すため、当該送信先情報を記入可能な表示紙が配されている画像形成装置であって、前記筐体のうち前記表示紙が配されている部位には、前記表示紙を当該部位から取り外したときに外部に露出され外部から操作可能な用紙印刷スイッチが設けられており、前記制御部は、前記用紙印刷スイッチが操作されたとき、前記画像形成部を制御することにより、記録紙に、前記表示紙の様式を記録紙にプリントさせるものである。
【０００９】
請求項３の発明は、請求項２の発明において、前記制御部は、前記用紙印刷スイッチが操作されたとき、前記画像形成部を制御することにより、記録紙に、前記表示紙の様式と前記表示紙の所定の外形形状とを共に示す画像をプリントさせるように構成されており、前記画像形成部により画像がプリントされた記録紙から前記所定の外形形状に沿って切り取った新たな表示紙を、前記筐体から取り外した表示紙に替えて、前記筐体に配置可能に構成されているものである。
【発明の効果】
【００１０】
請求項１の発明によれば、用紙印刷スイッチが押下されると、記録紙に表示紙画像データをプリントさせるように制御部が制御を行うので、ユーザは、必要な表示紙をその都度得ることができる。従って、予備の表示紙を保管しておく手間がなくなり、また、表示紙を別途調達したりする必要がなく、画像形成装置を継続して使用する際のコストを小さくすることができる。また、表示紙のプリントは、用紙印刷スイッチを押下することにより行われるので、容易に表示紙をプリントする操作を行うことができる。さらにまた、用紙印刷スイッチは、表示紙を筐体から取り外したときに外部に露出するように設けられているので、不用意に用紙印刷スイッチが操作されることを防止することができる。また、用紙印刷スイッチを設けても画像形成装置の外観デザインに影響を与えることなく、画像形成装置を例えば高級感ある外観にすることができる。記録紙にプリントされる表示紙画像データは、表示紙の所定の外形形状を示す画像を含むので、ユーザは、プリントされた画像が示す外形形状に沿って表示紙を外形形状どおりに容易に切り取ることができ、より容易に表示紙を得ることができる。
【００１１】
請求項２の発明によれば、用紙印刷スイッチが押下されると、記録紙に表示紙の様式をプリントさせるように制御部が制御を行うので、ユーザは、必要な表示紙をその都度得ることができる。従って、予備の表示紙を保管しておく手間がなくなり、また、表示紙を別途調達したりする必要がなく、画像形成装置を継続して使用する際のコストを小さくすることができる。また、用紙印刷スイッチを操作するだけで表示紙のプリントを行うことができるので、容易に表示紙をプリントさせることができる。さらにまた、用紙印刷スイッチは、表示紙を筐体から取り外したときに外部に露出するように設けられているので、不用意に用紙印刷スイッチが操作されることを防止することができる。さらにまた、用紙印刷スイッチを設けても画像形成装置の外観デザインに影響を与えることなく、画像形成装置を例えば高級感のある外観にすることができる。
【００１２】
請求項３の発明によれば、記録紙に表示紙の所定の外形形状を示す画像がプリントされるので、ユーザは、プリントされた画像が示す外形形状に沿って表示紙を外形形状どおり切り取るだけで、より容易に表示紙を得ることができる。
【発明を実施するための最良の形態】
【００１３】
以下、本発明の一実施形態について図面を参照しつつ説明する。図１及び図２は、本実施形態に係る画像形成装置１の一例を示す。画像形成装置１は、画像データに基づいて記録紙に画像をプリントするプリント機能を有する画像形成部２と、原稿を画像データとして読み取るスキャン機能を有する読取部（画像読取部）３と、画像データをファクシミリ送信するファクシミリ送信部４と、装置各部の制御を行う制御部５と、外部機器と接続されその外部機器との間で信号の送受信を行う外部入出力部６等を備えている。画像形成装置１は、例えば外部のパーソナルコンピュータ等の外部機器に接続されて用いられ、その外部機器から外部入出力部６を介して入力された画像データや、読取部３により読み取られた原稿の画像データを用いて、プリント機能、スキャン機能、ファクシミリ送信機能、及び原稿を複製するコピー機能等を行うことができるように構成されている。これらの各機能は、制御部５による制御に基づき実行される。制御部５は、例えば、ＣＰＵや、種々の機能を実行させるプログラム等が記録されたＲＯＭ等により構成されている。また、制御部５は、例えばフラッシュＲＯＭ又はＲＡＭ等により構成されたメモリ部５ａを有しており、このメモリ部５ａに、読取部３により読み取られた原稿の画像データ等、種々のデータを保存可能に構成されている。
【００１４】
画像形成装置１の筐体１０には、記録紙が装填される記録紙トレイ１２と、画像形成部２により画像がプリントされた記録紙が排出される排紙トレイ１３と、読取部３を用いて読み取る原稿を装填するための原稿トレイ１４と、読み取られた原稿が排出される原稿排出口１６と、外部と音声通信を行うために用いられる受話器１７と、装置各部の操作を行うための操作部２０等が配されている。操作部２０には、画像形成装置１の種々の機能を選択したり、ファクシミリ送信時の送信先を指定し、制御部５に指示するために用いられる複数の操作ボタン２１，２２，２３が外部から押下操作可能に配置されている。また、操作部２０には、画像形成装置１の動作状態等を表示するための液晶パネル２４と、操作ボタン２３に隣接して配置された表示部２５等が配置されている。筐体１０は、例えば樹脂により構成されている。原稿トレイ１４は、筐体１０に対し開閉自在に設けられており、原稿を装填しないときには図１に示すように閉状態にすることにより、画像形成装置１の外観デザインを良好にできるように構成されている。
【００１５】
画像形成部２は、筐体１０の内部下方に配置されており、記録紙を搬送するためのモータや搬送ローラ、記録紙上を往復駆動されるキャリッジや、キャリッジに搭載されインクを記録紙上に吐出するインクノズル等で構成されている。画像形成部２は、例えば、記録紙トレイ１２に装填された記録紙を筐体１０内部に給紙し、例えばインクジェット方式により、給紙された記録紙に画像をプリントするように構成されている。画像形成部２は、記録紙にプリントすると、その記録紙を排紙トレイ１３上に排出する。
【００１６】
読取部３は、本実施形態において、例えば画像形成部２の上方に配置されている。読取部３は、いわゆるシートフィード方式で原稿を読み取るものであり、例えば、原稿を搬送するためのモータ及び搬送ローラと、原稿を密着させて読み取るＣＩＳ（Contact Image Sensor）等で構成されている。読取部３は、原稿をＣＩＳに密着させて搬送させることにより、原稿を読み取り、画像データを生成する。なお、読取部３は、例えば原稿台に載置された原稿を読取ユニットを移動させながら読み取るような、いわゆるフラットベッド型に構成されていてもよい。
【００１７】
ファクシミリ送信部４は、例えば、外部の公衆電話回線を通じて、画像データをファクシミリ送信することができるように構成されている。制御部５は、例えば、操作ボタン２１が操作されて送信先ファクシミリ番号が入力されたとき、ファクシミリ送信部４に、その送信先に対してファクシミリ送信を実行させる。また、制御部５は、操作ボタン２３が押下されたときには、押下された操作ボタン２３に関連付けられている送信先ファクシミリ番号をメモリ部５ａから読み出し、ファクシミリ送信部４を制御して、その送信先に対しファクシミリ送信を実行させる。
【００１８】
この画像形成装置１では、操作部２０の右側に配置された複数の操作ボタン２１は、いわゆるテンキーを構成しており、操作部２０の中央側に配置された操作ボタン２２は、例えば液晶パネル２４の表示と共に利用して、ユーザが、画像形成装置１の機能選択・決定等の指示を制御部５に送信できるように構成されている。操作部２０の左側に配置された複数の操作ボタン２３は、いわゆる短縮ダイヤルボタンと呼ばれるものである。メモリ部５ａには、予め、各操作ボタン２３にそれぞれ関連付けて、所定の送信先の送信先ファクシミリ番号を含む送信先情報が登録され、記憶されている。制御部５は、操作ボタン２３が押下されると、メモリ部５ａから、当該操作ボタン２３と関連付けられて登録されている送信先ファクシミリ番号を読み出し、ファクシミリ送信部４により、その送信先にファクシミリ送信を行う。すなわち、ユーザは、操作ボタン２３を押下するだけで、その操作ボタン２３に対応する送信先に、画像データをファクシミリ送信することができる。本実施形態において、制御部５は、メモリ部５ａに登録されている送信先ファクシミリ番号を、例えばユーザにより外部からの操作ボタン２１，２２，２３等の操作が行われて指定された送信先ファクシミリ番号に、変更可能に構成されている。これにより、ユーザは、適宜、各操作ボタン２３と関連付けられる所定の送信先ファクシミリ番号を別のものに変更可能である。
【００１９】
図３は、操作部２０のうち表示部２５が配されている部位を示す。表示部２５は、筐体１０の操作部２０のうち、操作ボタン２３に隣接する部位に筐体１０の表面から一段凹むように略矩形に形成された表示紙保持部２６に配置されている。表示紙保持部２６の中央部には、例えばＵ字型に形成されたスリット２６ａが筐体１０を貫通するように形成されており、それにより、爪形状のスイッチ片３１が、外部から押下可能に形成されている。用紙印刷スイッチ３０は、スイッチ片３１と、その下方に配置され制御部５の回路基板等に実装されたタクトスイッチ３２等により構成されている。表示紙保持部２６の側縁部の一部には側方に凹んだ差込部２６ｂが形成されている。
【００２０】
表示部２５は、図に示すように、鉛筆、ボールペン等で書き込み可能な用紙からなる略矩形の外形形状（所定の外形形状）の表示紙２５ａと、例えば透明樹脂板からなるガードプレート２５ｂとで構成されている。表示部２５は、表示紙２５ａを表示紙保持部２６の凹みに合わせて配置した状態で、ガードプレート２５ｂを表示紙２５ａの上に被せるようにし、ガードプレート２５ｂの端部の一部を差込部２６ｂに嵌入させることにより、筐体１０に固定される。これにより、表示紙２５ａが筐体１０から脱落せず、また、汚損しにくく、画像形成装置１の外観も良好になるように構成されている。表示部２５が筐体１０に固定されている状態では、用紙印刷スイッチ３０は、表示紙２５ａに隠れ、外部に露出しない状態になる。このとき、ガードプレート２５ｂが設けられていることにより、表示部２５の上方から力が加えられても、用紙印刷スイッチ３０は押下されないように構成されている。
【００２１】
本実施形態において、図に示すように、表示紙２５ａには、４個の操作ボタン２３に対応するような罫線等が配された所定の様式がプリントされている。この画像形成装置１では、各操作ボタン２３に関連付けられている送信先の名称等、送信先情報を各操作ボタン２３に対応するように記載した表示紙２５ａを、上記のようにして筐体１０に配置しておくことにより、ユーザに、各操作ボタン２３を押下することによりファクシミリ送信を行うことができる送信先を分かりやすく示すことができるように構成されている。
【００２２】
ここで、上記のように、例えば、ユーザが、各操作ボタン２３に関連付けられている送信先ファクシミリ番号を別の異なるものに変更した場合等には、表示紙２５ａの記載内容も変更する必要が生じる。このような場合には、ユーザは、記録紙に表示紙２５ａの所定の様式と表示紙２５ａの所定の外形形状を含む画像をプリントさせ、新しい表示紙２５ａを得ることができるように構成されている。このとき、記録紙にプリントする、表示紙の所定の様式と表示紙の所定の外形形状を共に示す表示紙画像データは、予め、例えばメモリ部５ａに保存されている。制御部５は、用紙印刷スイッチ３０が押下されたとき、メモリ部５ａから表示紙画像データを読み出し、その画像データに基づいて、記録紙にプリントを行う。
【００２３】
以下に、ユーザが行う、表示紙２５ａの交換作業について説明する。まず、それまで取り付けられていた表示紙２５ａを、ガードプレート２５ｂと共に筐体１０から取り外す。すると、用紙印刷スイッチ３０が外部に露出される。ユーザは、露出した用紙印刷スイッチ３０を押下すると、制御部５により、表示紙２５ａの様式と外形形状とを共に示す画像が記録紙にプリントされる。ユーザは、プリントされた記録紙から、プリントされた外形形状に従って表示紙２５ａを切り取り、表示紙２５ａを得る。そして、新しく得た表示紙２５ａに送信先情報を記載し、その表示紙２５ａを、以前の表示紙２５ａに替えて、ガードプレート２５ｂと共に筐体１０に配置する。
【００２４】
このように、本実施形態においては、用紙印刷スイッチを押下して記録紙に表示紙画像データをプリントさせ、必要な表示紙２５ａをその都度得ることができるので、予備の表示紙２５ａを保管しておく手間がなくなり、また、表示紙を別途調達したりする必要がなく、画像形成装置１を継続して使用する際のコストを小さくすることができる。また、表示紙２５ａのプリントは、用紙印刷スイッチ３０を押下することにより行われるので、容易に表示紙２５ａをプリントする操作を行うことができる。さらにまた、用紙印刷スイッチ３０は、表示紙２５ａを筐体から取り外したときに外部に露出するように設けられているので、用紙印刷スイッチ３０を設けても画像形成装置１の外観デザインに影響を与えることなく、画像形成装置１を例えば高級感ある外観にすることができる。記録紙にプリントされる表示紙画像データは、表示紙２５ａの外形形状を示す画像を含むので、ユーザは、プリントされた画像が示す外形形状に沿って表示紙２５ａを外形形状どおりに容易に切り取ることができ、より容易に表示紙２５ａを用意することができる。
【００２５】
なお、本発明は上記実施形態の構成に限定されるものではなく、発明の趣旨を変更しない範囲で適宜に種々の変形が可能である。例えば、画像形成装置は、受話器１７等を有していなくてもよい。また、画像形成装置は、読取部３を有さず、外部機器等から入力された画像データをファクシミリ送信する機能を有しているものであってもよい。さらにまた、画像形成部は、例えばインクリボンからインクを記録紙に転写させてプリントするように構成されていたり、電子写真方式により記録紙に画像を形成させるように構成されていてもよい。
【００２６】
また、制御部は、表示紙画像データのプリント時に、各操作ボタン２３に関連付けられている送信先情報について、表示紙の様式と共に記録紙にプリントするように構成されていてもよい。例えば、メモリ部５ａは、送信先情報についてプリントするときに使用されるフォントデータを有しており、制御部５は、メモリ部５ａから、各操作ボタン２３に関連付けられている送信先情報とその送信先情報を表示するためのフォントデータとを読み出す。そして、読み出したフォントデータに基づいて、送信先情報を示す文字を、表示紙の様式に重ねてプリントする。このように自動的に記録紙に送信先情報をプリントすることにより、ユーザは自ら表示紙２５ａに送信先情報を記載する必要がなくなり、より容易且つ便利に画像形成装置を利用可能となる。
【図面の簡単な説明】
【００２７】
【図１】本発明の一実施形態に係る画像形成装置の一例を示す側面図。
【図２】上記装置のブロック図。
【図３】上記装置の表示部を示す斜視図。
【符号の説明】
【００２８】
１  画像形成装置
２  画像形成部
３  読取部
４  ファクシミリ送信部
５  制御部
５ｂ  メモリ部
１０  筐体
２１，２２，２３  操作ボタン
２５ａ  表示紙
３０  用紙印刷スイッチ
【図１】
2008283636.tif 000003
【図２】
2008283636.tif 000004
【図３】
2008283636.tif 000005